(57)【要約】      （修正有）【課題】老齢化が進む零細なサクランボ農家に適した小型軽量で操作が簡単なサクランボ選果機を提供する。【解決手段】１レーンＡによるサクランボ選果機であって、傾斜板２と山形の分配器３を設け、クッション板４と山形分配器による緩衝作用によってサクランボの選果から分別・箱詰までを小型で軽量で簡単な操作で卓上に設置して座ったままで作業ができるようにする。【選択図】図３
0003148789.tif 000002
【実用新案登録請求の範囲】
【請求項１】
レーンＡの横位置にサクランボ供給用のサクランボプールＰを設け、２本のロープ（５），（５）を末広に張設してプーリー（６），（６）によって回動するサクランボ等の選果機Ａであって、回動する上ロープ（５１）と下ロープ（５２）の間にクッション板（４）を全面に貼着した傾斜板（２）を配置し、この傾斜板（２）の中央から下方に向けて山形の分配器（３）を列設し、この山形分配器（３）の裾部分を湾曲に形成すること、
隣接する山形分配器（３）の裾端（３５）に間隔（３４）を設け、傾斜板（２）の下端から下方にクッション板（４）を延長して設け、この延長部（４２）に多数の切込み（４１）を設け、山形分配器（３）の裾端の間隔（３４）とクッション板の切込み（４１）とを位置的に一致させ、このクッション板（４）の下方に収納箱Ｂを配置したことを特徴としたサクランボ選果機。
【請求項２】
山形分配器（３）は頂部を鋭角に形成し、両側の裾部分を湾曲して形成すると共に、分配器（３）を独立して形成し、クリップＫによって傾斜板（２）の下端を左右に移動可能に装着したことを特徴とした請求項１に記載のサクランボ選果機。
【考案の詳細な説明】
【技術分野】
【０００１】
本考案は、小型軽量で、操作が簡単な、小規模農家などで使用するのに適したサクランボ等の選果機に関する。  
【背景技術】
【０００２】
サクランボ農家の特徴は、収穫期の短い期間に大変な労力を必要とすることで、この繊細な果実故に手荒な扱いもできず、収穫・選果からパック収納まで機械化することが困難で、常に手作業にたよっているのが現状である。さらに年々サクランボ農家の高齢化が進み、６０才以上の老夫婦が主体となっている零細農家が大部分となっている。
【特許文献１】実公平４−４８５６号公報
【特許文献２】特開２００６−３２０６６６号公報
【考案の開示】
【考案が解決しようとする課題】
【０００３】
一般にサクランボの選果分別は、粒の大きさからＭ、Ｌ、２Ｌ、３Ｌの４段階に分別されるのが普通で、それぞれ収納箱に収納されて出荷されている。そして、この分別は、昔からの穴の明いた定規を使用するものから、いくつものロープを張ったレーンにサクランボを流して選別する装置と種々使用されているが、穴明き定規を使用する選果は一番正確とされているが、サクランボを一粒ごとに穴に通して分別するため手間がかかる不便がある。また多重レーンの選果機は装置が大がかりとなり複雑な構造で、重量もあって前記のような高齢者のみの零細農家には適していない。
【０００４】
考案者は先に、特許文献２に示すように１レーンによる小型のサクランボ選果機を開発して、この普及を図り好評を得ているが、この先願の選果機は、ロープ（５）を２本張設した１レーンの選果機で小型化を目的としている選果機ではあるが、図１に示すようにサクランボを供給するサクランボプールＰをレーンの直線上に設けるため、装置自体が大き
くなること及び供給口が狭く、サクランボの軸が入口でからみ合い、スムーズな送りに手間がかかるきらいがあった。
【課題を解決するための手段】
【０００５】
考案者は、この点に鑑み鋭意試作研究の結果、本考案に到達したものであって、本考案は、
(イ)  図２に示すように、サクランボプールＰをレーンＡの横に配置し、供給口（１）を広口に設けることにより、装置全体の長さを短くして、サクランボ軸の詰りを防ぎ、スムースにレーンＡ上に運べられること。
(ロ)  図４を参照して、プーリー（６），（６）によって回動するロープ（５）の上ロープ（５１）と下ロープ（５２）の間に傾斜板（２）を設け、上ロープからサクランボの大きさごとに落下するサクランボをころがり落すこと、またこの傾斜板（２）にはクッション板（４）を全面に貼着させること。
【０００６】
(ハ)  図５及び図６を参照して傾斜板（２）の中央から下方に向けて山形に形成した分配器（３）を列設して設けて、サクランボの粒の大きさ（等級別）によって落下してころがり落ちるサクランボを分別し、山形分配器（３）の裾部分を湾曲状に形成してころがり落ちるサクランボを受ける緩衝効果を作用させると共に、この裾部分に間隔（３４）を設け
てサクランボの落下を一旦止めてから落下させること。
【０００７】
(二)  傾斜板（２）に貼着したクッション板（４）の下端を少し延長して設け、この延長部（４２）に切込み（４１）を多数設けて遊着片を形成し、この延長部（４２）と前記分配器（３）のサクランボ落下部との位置を一致させること。
【０００８】
上記（イ）〜（ニ）の構成を加えることによって選果機を小型化すると共に、サクランボを受ける緩衝機能を数多く設けることによって傷つき易いサクランボをやさしく取扱う選果機を提供する。
【考案の効果】
【０００９】
本考案のサクランボ選果機は、小型軽量で操作が簡単なため、高齢化してきている零細なサクランボ農家であっても十分利用しうるもので、特殊な構造の分別機構と、収納構造により、卓上に設置して座ったままで選果から箱詰めまでの一連の作業ができ、さらにサクランボを傷つけることなく取扱うことができるため、本選果機の使用上の作用効果は特
に顕著である。
【実施例】
【００１０】
本考案のサクランボ選果機の実施例を図面により説明する。
図１は比較例として示した前記特許文献２のサクランボ選果機のサクランボプールの参考例図のため説明は省略する。
【００１１】
図２は２本のロープを末広がりに張設した選果レーンＡの始動部を示す平面図であって、（５），（５）はレーンＡを形成する２本のロープで、このロープ（５）は直径１２ｍ／ｍの丸形の合成樹脂ロープを使用している。そして図中の矢印方向に末広がりに張設したもので、図３，４に示すようにプーリー（６），（６）によって回動されていて、サクランボはサクランボプールＰから一粒ごとに２本のロープ（５），（５）上に手作業で乗せられて移送され、２本のロープ間より粒の大きさ別に順に落下して分別される。図中の右端が始端部で収穫されたサクランボは、レーンＡの横位置に設けられたサクランボプールＰからロープ上に載せられる。
【００１２】
サクランボは、「ＪＡ山形」によると、Ｓ１６ｍ／ｍ以上，Ｍ１９ｍ／ｍ以上，Ｌ２２ｍ／ｍ，２Ｌ２５ｍ／ｍ以上，３Ｌ２８ｍ／ｍ以上と定められているが、Ｍサイズ以下のサクランボは一般にきらわれ市場価値がない。このため本実施例装置においては予めこの小粒のサクランボは選果の対象から外して実施例を挙げている。したがって図示するサクランボプールＰから一粒ずつロープ上に載せられたサクランボはロープの移動中に粒径によってレーンＡから落下する。
【００１３】
図３は本考案のサクランボ選果機の構造の全体を示す側面図であり、左右にプーリー（６）が配置されモーターＭの駆動によって回転してレーンＡが回動し、レーンＡ上で移送されているサクランボは順次落下する。図４を参照して、回動するレーンＡの上ロープ（５１）と下ロープ（５２）の間に傾斜板（２）を設ける。従ってレーンＡの上ロープ（５１）から落下したサクランボは、この傾斜板（２）上で受けられて転がり落ちる。
【００１４】
この傾斜板（２）の全面に落下する衝撃を緩和するためのクッション板（４）を貼着する。そして、このクッション板（４）は図６を参照して傾斜板（２）の下端よりも僅かに延長して設け、この延長部（４２）には切込み（４１）を多数設けることによって、この切込みによって遊着片が形成される。
【００１５】
傾斜板（２）の角度は４０°の下り勾配とし、この傾斜板（２）の中央から下方に向けた山形の分配器（３）を設ける。この山形分配器（３）は図５に示すように、山形の頂部（３１）を鋭角に形成し、左右に傾斜して裾部を湾曲（３２）に形成し、このような面を裾端（３５）まで形成している。この分配器（３）自体は台紙（３３）に固定されていて、文房具用のクリップＫによって図６に示されているように傾斜板（２）の下端に、前記クッション板（４）の延長部（４２）を含めて移動可能に挟持固定されている。
【００１６】
この分配器（３）は発泡スチロール製の細い帯状片で形成され、山形の上部は図示されているように台紙（３３）によって固定されているが、裾部分は湾曲形で遊離状のためクッション性がある。そして、この山形分配器（３）は、図３，図６に示すように、レーンＡよりサクランボの粒の大きさ順に落下する傾斜板（２）の位置に配置されているため傾斜板（２）上を転がり落ちて、分配器（３）の山裾端（３５）に集まる。
【００１７】
分配器（３）は図３及び図６に示すように傾斜板（２）上のサクランボが粒の大きさ別に落下する区分上に設け、隣接する山形分配器（３）の裾端（３５）との間に間隔（３４）を設け、さらにこの分配器の裾部の位置を傾斜板から張出しているクッション板（４）の延長上に位置させるため、サクランボは山形分配器の裾を形成する湾曲部（３２）を転がって裾端（谷部）に集まり、サクランボが２〜３粒この谷部に溜ったとき、この重さによって、間隔（３４）の下のクッション板（４）の遊着片を押下げて下方に配置してある収納箱Ｂに納まる。
【００１８】
このように、本考案のサクランボ選果機は、サクランボの選果・分別・箱詰という一連の作業を、小型軽量で操作も簡単な装置で行い、しかもクッション板を貼着した傾斜板と山形の分配器と、収納の前の遊着片による３重の緩衝機構によってサクランボを傷つけることなく取扱うことができるため、高齢化が進む零細なサクランボ農家での利用価値は大きい。
【００１９】
本実施例の試作品はプーリー（６）の径を７．５ｃｍ、レーンＡの長さを７５ｃｍとし、機枠の高さが１６ｃｍ、重量１５ｋｇであり、２５ＷのモーターＭを使用した。このため卓上の使用では立姿で、床に置いての使用では椅子に座って使用でき、また各パーツを分解可能としたことによって季節外の収納にも困らない。
【００２０】
この実施例にあっては主にサクランボについて例示したが、本案装置を使用しての選果・分別できる果実はサクランボに限ることなく、同じような小粒の果実、例えばミニトマトや梅などについても本選果機の使用は可能である。
【産業上の利用可能性】
【００２１】
上述のように本考案のサクランボ選果機は、小型軽量で且つ緩衝機能を数多く取入れたことにより取扱い易く、高齢化が進んでいるサクランボ農家での使用に適しているため、本考案の利用度合はきわめて高いものと思う。
【図面の簡単な説明】
【００２２】
【図１】先願のサクランボ選果機の比較例図
【図２】本考案のサクランボプールの実施例図
【図３】内部構造を示す実施例図
【図４】選果レーンＡに対して傾斜板（２）の位置関係を示す実施例図
【図５】山形分配器の詳細図
【図６】山形分配器の作用を示す実施例図
【符号の説明】
【００２３】
１  サクランボ供給口  
２  傾斜板
３  分配器
３４  分配器の間隔
３５  分配器の裾端
４  クッション板
４１  クッション板の切込み
４２  延長部
５  ロープ  
５１  上ロープ
５２  下ロープ
６  プーリー
６１  回転軸
Ａ  ２条のロープからなる選果レーン
Ｂ  収納箱
Ｋ  クリップ
Ｍ  モーター
Ｐ  サクランボプール  
【図１】
0003148789.tif 000003
【図２】
0003148789.tif 000004
【図３】
0003148789.tif 000005
【図４】
0003148789.tif 000006
【図５】
0003148789.tif 000007
【図６】
0003148789.tif 000008